(57)【要約】【課題】通信相手先毎に自己の通信識別情報がコードパターンとして表示されている状態において、何れかの端末に表示されているコードパターンを読み取るだけでその端末を通信相手先として特定できるようにする。【解決手段】通信相手先として選択対象となる各スレーブ端末１は、自己の通信識別情報がバーコード情報に変換して表示出力する。通信元であるマスタ端末１は、通信相手先として選択対象となる各スレーブ端末１のうち、その何れに表示されているバーコード情報を読み取ると共に、このバーコード情報を通信識別情報に復号化し、この通信識別情報に基づいて通信相手先を特定する。【選択図】  図１
2004274520.tif 000002
【特許請求の範囲】
【請求項１】
通信元端末から通信相手先の端末を任意に選択して無線通信を行う端末間通信システムにおいて、
通信相手先として選択対象となる各端末は、自己の通信識別情報をコードパターンに変換して表示する表示手段を備え、
通信元端末は、通信相手先として選択対象となる各端末のうち、その何れに表示されているコードパターンを読み取る読取手段と、この読取手段によって読み取られたコードパターンを通信識別情報に復号化する復号化手段と、この復号化手段によって復号化された通信識別情報に基づいて通信相手先を特定してその端末との接続を確立する通信接続手段とを備え、
たことを特徴とする端末間通信システム。
【請求項２】
通信元端末は、自己の電波が到達する通信可能圏内に存在している他の複数の端末からその通信識別情報を受信収集すると共に当該各端末を通信可能状態に設定する設定手段と、前記受信収集した各通信識別情報を参照し、その中から前記読取手段によって読み取られたコードパターンに基づいて通信相手先を特定する、
ようにしたことを特徴とする請求項１記載の端末間通信システム。
【請求項３】
前記表示手段は、実データの通信開始に先立って通信相手を互いに認証する為の認証情報を自己の通信識別情報と共にコードパターンに変換して表示し、
前記復号化手段は、前記読取手段によって読み取られたコードパターンを通信識別情報および認証情報に復号化し、
前記通信接続手段は、前記復号化された通信識別情報に基づいて通信相手先を特定すると共に、この認証情報の整合に基づいてその通信相手先端末との接続を確立する、
ようにしたことを特徴とする請求項１記載の端末間通信システム。
【請求項４】
前記表示手段は、自己の通信識別情報と共にセキュリティ情報をコードパターンに変換して表示し、
前記復号化手段は、前記読取手段によって読み取られたコードパターンを通信識別情報およびセキュリティ情報に復号化し、
前記復号化されたセキュリティ情報に基づいてセキュリティ管理を行う、
ようにしたことを特徴とする請求項１記載の端末間通信システム。
【請求項５】
コンピュータに対して、
自己の通信識別情報をコードパターンに変換して表示する機能と、
前記表示されているコードパターンを読み取る機能と、
読み取られたコードパターンを通信識別情報に復号化する機能と、
復号化された通信識別情報に基づいて通信相手先を特定してその端末との接続を確立する機能と、
を実現させるためのプログラム。
【発明の詳細な説明】
【０００１】
【発明の属する技術分野】
この発明は、通信元端末から通信相手先の端末を任意に選択して無線通信を行う端末間通信システムおよびプログラムに関する。
【０００２】
【従来の技術】
近年、会社等において構築されている無線ＬＡＮ（ローカル・エリア・ネットワーク）システムにおいては、オフィス空間の有効活用や配置換え等に柔軟に対応することができる為、益々、そのニーズが高まっている。この無線ＬＡＮシステムは、近距離通信手段としてのＢｌｕｅｔｏｏｔｈ通信方式によって端末間通信を行うもので、従来においては、例えば、予め各端末に対応付けてその端末を視覚的に識別可能な色、形状等の視覚識別情報を記憶管理しておき、通信対象の端末を撮影した端末画像と視覚識別情報とを比較することによって通信対象の端末を特定してＢｌｕｅｔｏｏｔｈ通信を行うようにした通信端末が知られている（特許文献１参照）。
【０００３】
【特許文献１】
特開２００２−３２５０６１号公報
【０００４】
【発明が解決しようとする課題】
しかしながら、この種の通信端末にあっては、予め各端末に対応付けて視覚識別情報が登録されていることを前提とする為、面倒な登録操作を余儀なくされる。
この発明の課題は、通信相手先毎に自己の通信識別情報がコードパターンとして表示されている状態において、何れかの端末に表示されているコードパターンを読み取るだけでその端末を通信相手先として特定できるようにすることである。
【０００５】
【課題を解決するための手段】
請求項１記載の発明は、通信元端末から通信相手先の端末を任意に選択して無線通信を行う端末間通信システムにおいて、通信相手先として選択対象となる各端末は、自己の通信識別情報をコードパターンに変換して表示する表示手段を備え、通信元端末は、通信相手先として選択対象となる各端末のうち、その何れに表示されているコードパターンを読み取る読取手段と、この読取手段によって読み取られたコードパターンを通信識別情報に復号化する復号化手段と、この復号化手段によって復号化された通信識別情報に基づいて通信相手先を特定してその端末との接続を確立する通信接続手段とを備えた端末間通信システムを特徴とする。
更に、コンピュータに対して、上述した請求項１記載の発明に示した主要機能を実現させるためのプログラムを提供する（請求項５記載の発明）。
【０００６】
したがって、請求項１、５記載の発明において、通信相手先として選択対象となる各端末は、自己の通信識別情報がコードパターンに変換して表示し、通信元端末は、通信相手先として選択対象となる各端末のうち、その何れに表示されているコードパターンを読み取ると共に、このコードパターンを通信識別情報に復号化し、この通信識別情報に基づいて通信相手先を特定するようにしたから、何れかの端末に表示されているコードパターンを読み取るだけでその端末を通信相手先として特定してその端末との接続を確立することができる。したがって、通信相手先の通信識別情報を入力するという手間を省くことができると共に、入力ミスの危険もなく、更には、相手先毎にその通信識別情報を予め設定しておく必要もない。
【０００７】
なお、請求項１記載の発明は次のようなものであってもよい。
通信元端末は、自己の電波が到達する通信可能圏内に存在している他の複数の端末からその通信識別情報を受信収集すると共に当該各端末を通信可能状態に設定する設定手段と、前記受信収集した各通信識別情報を参照し、その中から前記読取手段によって読み取られたコードパターンに基づいて通信相手先を特定する（請求項２記載の発明）。
【０００８】
したがって、請求項２記載の発明によれば、請求項１記載の発明と同様の効果を有する他に、通信元端末は、自己の電波が到達する通信可能圏内に存在している他の複数の端末からその通信識別情報を受信収集すると共に当該各端末を通信可能状態に設定した状態において、受信収集した各通信識別情報を参照し、その中から読み取られたコードパターンに基づいて通信相手先を特定するようにしたから、Ｂｌｕｅｔｏｏｔｈ通信のピコネット（１台のマスタに対して複数台のスレーブと同時に接続可能なグループ）内においてマスタ・スレーブ間での無線通信を行う場合に効果的なものとなる。
【０００９】
前記表示手段は、実データの通信開始に先立って通信相手を互いに認証する為の認証情報を自己の通信識別情報と共にコードパターンに変換して表示し、前記復号化手段は、前記読取手段によって読み取られたコードパターンを通信識別情報および認証情報に復号化し、前記通信接続手段は、前記復号化された通信識別情報に基づいて通信相手先を特定すると共に、この認証情報の整合に基づいてその通信相手先端末との接続を確立する（請求項３記載の発明）。
【００１０】
したがって、請求項３記載の発明によれば、請求項１記載の発明と同様の効果を有する他に、通信相手先として選択対象となる各端末は、実データの通信開始に先立って通信相手を互いに認証する為の認証情報を自己の通信識別情報と共にコードパターンに変換して表示し、通信元端末は、通信相手先として選択対象となる各端末のうち、その何れに表示されているコードパターンを読み取ると共に、このコードパターンを通信識別情報および認証情報に復号化し、この通信識別情報に基づいて通信相手先を特定すると共に、この認証情報の整合に基づいてその通信相手先端末との接続を確立するようにしたから、通信相手を互いに認証する為の認証情報としての秘密鍵あるいは秘密鍵を設定する為の情報を通信相手同士に事前登録しておかなくてもよく、また、秘密鍵を必要に応じて変更する場合でも、個々の端末毎にペアで変更する操作を行う必要はなく、コードパターンを介しての同時変更が可能となり、更に利便性を高めることができる。
【００１１】
前記表示手段は、自己の通信識別情報と共にセキュリティ情報をコードパターンに変換して表示し、前記復号化手段は、前記読取手段によって読み取られたコードパターンを通信識別情報およびセキュリティ情報に復号化し、前記復号化されたセキュリティ情報に基づいてセキュリティ管理を行う（請求項４記載の発明）。
【００１２】
したがって、請求項４記載の発明によれば、請求項１記載の発明と同様の効果を有する他に、通信相手先として選択対象となる各端末は、自己の通信識別情報と共にセキュリティ情報をコードパターンに変換して表示し、通信元端末は、通信相手先として選択対象となる各端末のうち、その何れに表示されているコードパターンを読み取ると共に、このコードパターンを通信識別情報およびセキュリティ情報に復号化し、この通信識別情報に基づいて通信相手先を特定すると共に、このセキュリティ情報に基づいてセキュリティ管理を行うようにしたから、例えば、通信中のデータを傍受されることを防止する為の暗号化鍵やグループアクセス権限等のセキュリティ情報をコードパターンによって容易に入手することができ、また、セキュリティ情報を必要に応じて変更する場合でも、個々の端末毎にペアで変更する操作を行う必要はなく、コードパターンを介しての同時変更が可能となり、更に利便性を高めることができる。
【００１３】
【発明の実施の形態】
以下、図１〜図７を参照してこの発明の一実施形態を説明する。
図１は、この実施形態における端末間通信システムの全体構成を示したブロック図である。
この端末間通信システムは、ＰＤＡ等の携帯情報機器（通信端末）１間において、Ｂｌｕｅｔｏｏｔｈ通信方式にしたがって近距離無線通信を行うもので、ピコネット（１台のマスタに対して複数台、例えば、７台のスレーブと同時に接続可能なグループ）内においてマスタ・スレーブ間での無線通信を行うようにしている。
ここで、ピコネット内の各通信端末１は、周波数ホッピング型のスペクトル分散方式にしたがって周波数ホッピングさせながら通信を行う。以下、マスタとして機能する通信端末をマスタ端末１、スレーブとして機能する通信端末をスレーブ端末１と称するが、各通信端末１は、マスタ端末、スレーブ端末の何れにもなる。
【００１４】
各通信端末１は、他の通信端末１とのリンクが確立していない待ち受け状態において、ピコネットを構成する為にマスタ端末１と各スレーブ端末１との間で同期確立処理を行った後に、通信接続処理を行うようにしている。この場合、同期確立処理において、マスタ端末１は、自己の電波が到達する通信可能圏内に存在している他の各スレーブ端末１からその通信識別情報を受信収集してそのスレーブ端末１を通信可能状態に設定する。
【００１５】
また、通信接続処理において、通信相手先として選択対象となるピコネット内の各スレーブ端末１は、自己の通信識別情報（例えば、端末固有のアドレス）をバーコード情報に変換して表示出力するようにしている。この状態において、通信元となるマスタ端末１は、各スレーブ端末１のうち、その何れに表示されているバーコード情報を読み取ると共に、このバーコード情報をデコードして通信識別情報に復号化した後、この通信識別情報に基づいて通信相手先を特定してそのスレーブ端末１との接続を確立するようにしている。
【００１６】
この場合、各スレーブ端末１において、バーコード変換されて表示される情報は、自己の通信識別情報の他に、それに付加される所定の付加情報である。すなわち、この付加情報は、認証情報およびセキュリティ情報からなるもので、そのうち認証情報は、実データの通信開始に先立って通信相手を互いに認証する為の情報であり、例えば、端末間で共有されるＰＩＮコード（暗号番号）、リンクキー等である。また、セキュリティ情報は、例えば、通信中のデータを傍受されることを防止する為の暗号化鍵やグループアクセス権限等を制御する為の情報である。
【００１７】
図２は、各通信端末１の基本的構成要素を示したブロック図である。
ＣＰＵ１１は、記憶装置１２内のオペレーティングシステムや各種アプリケーションソフトにしたがってこの通信端末１の全体動作を制御する中央演算処理装置である。記憶装置１２は、プログラム記憶領域とデータ記憶領域とを有し、磁気的、光学的、半導体メモリ等やその駆動系によって構成されている。この記録装置１２はハードディスク等の固定的なメモリの他、ＣＤ−ＲＯＭ、ＤＶＤ等の着脱自在な記憶媒体を装着可能な構成であってもよい。この記憶装置１２内のプログラムやデータは、必要に応じてＲＡＭ（例えば、スタティックＲＡＭ）１３にロードされたり、ＲＡＭ１３内のデータが記憶装置１２にセーブされる。なお、ＲＡＭ１３は、プログラム実行領域と作業領域とを有している。
【００１８】
一方、ＣＰＵ１１にはその入出力周辺デバイスであるＢｌｕｅｔｏｏｔｈ通信部１４、バーコードスキャナ１５、入力部１６、表示部１７がバスラインを介して接続されており、入出力プログラムにしたがってＣＰＵ１１はそれらの動作を制御する。
バーコードスキャナ１５は、例えば、端末本体の先端部分に一体的に取り付けられたもので、発送用の伝票等に印刷されているバーコード情報を読み取ったり、他の通信端末１に表示されているバーコード情報を読み取ってデジタル変換するレーザビーム式のスキャナあるいはＣＭＯＳイメージセンサを備えたイメージキャプチャ式のバーコードスキャナである。なお、バーコードスキャナ１５は、デジタルスチルカメラであってもよい。バーコード処理部１８は、バーコードスキャナ１５によって読み取られたバーコード情報をデコードすることによって、通信識別情報および付加情報（認証情報、セキュリティ情報）に復号化してＣＰＵ１１に与える。バーコード処理部１８はバーコードスキャナ１５がイメージキャプチャ式のバーコードスキャナやデジタルスチルカメラである場合は、読み取られたバーコード画像を処理するための画像処理部を含む構成とする。なお、入力部１６はキーボードやタッチパネル等を構成する操作部であり、文字列データや各種コマンドを入力する。表示部１７は、フルカラー表示を行う液晶表示装置である。
【００１９】
次に、この実施形態における端末間通信システムの動作概念を図３〜図６に示すフローチャートを参照して説明する。ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。すなわち、記録媒体の他、伝送媒体を介して外部供給されたプログラム／データを利用してこの実施形態特有の動作を実行することもできる。
【００２０】
図３は、各通信端末１で実行されるＢｌｕｅｔｏｏｔｈ通信処理を示したフローチャートである。
各通信端末１は、他の通信端末１との間でリンクが確立していないリンク確立の待ち受け状態において（ステップＡ１）、先ず、ピコネットを構成する為にマスタ端末１と各スレーブ端末１との間で同期確立処理を行った後（ステップＡ２）、このピコネット内のマスタ端末１とスレーブ端末１との間で制御情報の受け渡しを行って通信相手先を特定することによって通信接続を確立する通信接続処理を行う（ステップＡ３）。これによって通信接続が完了すると、実データの通信が開始される（ステップＡ４）その後、回線遮断が検出されると（ステップ）、最初の待ち受け状態に戻り（ステップＡ５）、以下、同様の動作が繰り返される。
【００２１】
図４は、マスタ端末１、スレーブ端末１間において実行される図３の同期確立処理を詳述する為のフローチャートである。
先ず、マスタ端末１は、自己の電波が到達する通信可能圏内に存在している他の各スレーブ端末１からその通信識別情報を受信収集してそのスレーブ端末１を通信可能状態に設定する為に問い合わせ要求を行う（ステップＢ１）。ここで、各スレーブ端末１は、周期的に受信周波数を切り替えながら（ステップＢ１１）、マスタ端末１からの問い合わせ要求を受信する待ち状態において（ステップＢ１２）、この問い合わせ要求を受け取ると、自己の通信識別情報をマスタ端末１に対して送信する（ステップＢ１３）。
【００２２】
マスタ端末１は、各スレーブ端末１から送信されて来た通信識別情報を受信して端末管理ファイル１９（図１参照）に収集した後（ステップＢ２）、各スレーブ端末１に対して呼び出し要求を行ってマスタアドレス、メンバーアドレス等を送信する（ステップＢ３）。すると、各スレーブ端末１は、周期的に受信周波数を切り替えながら（ステップＢ１４）、マスタ端末１からの呼び出し要求を受信する待ち状態において（ステップＢ１５）、この呼び出し要求を受け取ると、マスタ端末１から送信されて来たマスタアドレス、メンバーアドレス等を受信設定することによって通信可能な状態となる（ステップＢ１６）。
【００２３】
図５は、マスタ端末１側で実行される図３の通信接続処理を詳述する為のフローチャートである。
図６は、各スレーブ端末１側で実行される図３の通信接続処理を詳述する為のフローチャートである。
先ず、各スレーブ端末１は、自己の通信識別情報および付加情報を読み出してバーコード情報に変換する（図６のステップＣ２１）。この場合、付加情報には、例えば、端末間で共有されるＰＩＮコード（暗号番号）やリンクキー等の認証情報の他、通信中のデータを傍受されることを防止する為の暗号化鍵、グループアクセス権限情報、ユーザＩＤ等のセキュリティ情報が含まれている。これによって変換された一連のバーコード情報は、画面全体に表示出力される（ステップ２２）。
図７は、各スレーブ端末１において、自己の通信識別情報および付加情報から成るバーコード情報が表示されている状態を示した図である。
【００２４】
一方、マスタ端末１は、スレーブ端末１に表示されているバーコード情報を読み取ったかを監視しており（図５のステップＣ１）、バーコードの読み取りを検出すると、正常に読み取られたかをチェックし（ステップＣ２）、正常に読み取られるまで読み取り動作を繰り返す（ステップＣ１）。いま、正常に読み取られた場合には、このバーコード情報をデコードして通信識別情報および付加情報に復号化すると共に（ステップＣ３）、このデコード結果から通信識別情報を抽出し（ステップＣ４）、この通信識別情報に基づいて端末管理ファイル１９を検索して通信相手先を特定する（ステップＣ５）。ここで、通信相手先を特定することができなかった場合には（ステップＣ６でＮＯ）、今回のバーコード読み取りを無効とする為にステップＣ１に戻るが、通信相手先を特定することができた場合には（ステップＣ６でＹＥＳ）、その通信相手先に対して呼び出し要求を行った後（ステップＣ７）、スレーブ端末１からの応答待ちとなる（ステップＣ８）。
【００２５】
ここで、各スレーブ端末１は、マスタ端末１からの呼び出し待ち状態において（図６のステップ２３）、呼び出し要求を正常受信した場合には、マスタ端末１に対して肯定応答を行う（ステップＣ２４）。
ここで、マスタ端末１は、デコード結果から付加情報を抽出し（ステップＣ９）、この付加情報に基づいて認証整合処理（ステップＣ１０）、暗号整合処理（ステップＣ１１）を行った後に、接続完了通知を行う（ステップＣ１２）。他方、スレーブ端末１側においても、認証整合処理（ステップＣ２５）、暗号整合処理（ステップＣ２６）を行った後に、接続完了通知を行う（ステップＣ２７）。
【００２６】
すなわち、実データの通信開始に先立って通信相手を互いに認証する為に端末間で共有されるＰＩＮコード（暗号番号）、リンクキーに基づいて認証整合処理を行い、通信中のデータを傍受されることを防止する為の暗号化鍵を使用して暗号整合処理を行う。このような認証整合処理、暗号整合処理が終了すると、相互に接続完了を通知し合う。
なお、マスタ端末１は、バーコード読み取りを介してスレーブ端末１から入手したセキュリティ情報に基づいてセキュリティ管理を行い、アクセス権限等の制御を行う。
【００２７】
以上のように、この実施形態の端末間通信システムにおいて、通信相手先として選択対象となる各スレーブ端末１は、自己の通信識別情報がバーコード情報に変換して表示出力し、通信元であるマスタ端末１は、通信相手先として選択対象となる各スレーブ端末１のうち、その何れに表示されているバーコード情報を読み取ると共に、このバーコード情報を通信識別情報に復号化し、この通信識別情報に基づいて通信相手先を特定するようにしたから、何れかのスレーブ端末１に表示されているバーコード情報を読み取るだけでそのスレーブ端末１を通信相手先として特定してその端末との接続を確立することができる。したがって、通信相手先の通信識別情報を入力するという手間を省くことができると共に、入力ミスの危険もなく、更には、相手先毎にその通信識別情報を予め設定しておく必要もない。
【００２８】
なお、マスタ端末１は、自己の電波が到達する通信可能圏内に存在している他の複数のスレーブ端末１からその通信識別情報を受信収集すると共に当該各スレーブ端末１を通信可能状態に設定した状態において、受信収集した各通信識別情報を参照し、その中から読み取られたバーコード情報に基づいて通信相手先を特定するようにしたから、Ｂｌｕｅｔｏｏｔｈ通信のピコネット内においてマスタ・スレーブ間での無線通信を行う場合に効果的なものとなる。
【００２９】
各スレーブ端末１は、実データの通信開始に先立って通信相手を互いに認証する為の認証情報を自己の通信識別情報と共にバーコード情報に変換して表示し、マスタ端末１は、各スレーブ端末１のうち、その何れに表示されているバーコード情報を読み取ると共に、このバーコード情報を通信識別情報および認証情報に復号化し、この通信識別情報に基づいて通信相手先を特定する他、この認証情報の整合に基づいてその通信相手先端末との接続を確立するようにしたから、通信相手を互いに認証する為の認証情報としての秘密鍵あるいはこの秘密鍵を設定する為の情報を通信相手同士に事前登録しておかなくてもよく、また、秘密鍵を必要に応じて変更する場合でも、個々の端末毎にペアで変更する操作を行う必要はなく、バーコード情報を介しての同時変更が可能となり、更に利便性を高めることができる。
【００３０】
各スレーブ端末１は、自己の通信識別情報と共にセキュリティ情報をバーコード情報に変換して表示し、マスタ端末１、各スレーブ端末１のうち、その何れに表示されているバーコード情報を読み取ると共に、このバーコード情報を通信識別情報およびセキュリティ情報に復号化し、この通信識別情報に基づいて通信相手先を特定すると共に、このセキュリティ情報に基づいてセキュリティ管理を行うようにしたから、例えば、通信中のデータを傍受されることを防止する為の暗号化鍵やグループアクセス権限等のセキュリティ情報をバーコード情報によって容易に入手することができ、また、セキュリティ情報を必要に応じて変更する場合でも、個々の端末毎にペアで変更する操作を行う必要はなく、バーコード情報を介しての同時変更が可能となり、更に利便性を高めることができる。
【００３１】
なお、上述した実施形態において、各スレーブ端末１は、自己の通信識別情報および付加情報をバーコード表示するようにしたが、通信識別情報および付加情報を２次元コードに変換して表示出力するようにしてもよい。
図８（Ａ）は、２次元コードとして「ＰＤＦ４１７コード」に変換した場合の表示例を示し、（Ｂ）は、２次元コードとして「ＱＲコード」に変換した場合の表示例を示している。
また、上述した実施形態においては、Ｂｌｕｅｔｏｏｔｈ通信のピコネット内においてマスタ・スレーブ間での無線通信を行う場合を例示したが、その他の通信方式であってもよく、近距離通信手段としての赤外線通信に適用してもよい。
【００３２】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、自己の通信識別情報をコードパターンに変換して表示する機能と、前記表示されているコードパターンを読み取る機能と、読み取られたコードパターンを通信識別情報に復号化する機能と、復号化された通信識別情報に基づいて通信相手先を特定してその端末との接続を確立する機能とを実現させるためのプログラムを記録したコンピュータが読み取り可能な記録媒体を提供するようにしてもよい。
【００３３】
【発明の効果】
この発明（請求項１記載の発明）によれば、通信相手先として選択対象となる各端末は、自己の通信識別情報がコードパターンに変換して表示し、通信元端末は、通信相手先として選択対象となる各端末のうち、その何れに表示されているコードパターンを読み取ると共に、このコードパターンを通信識別情報に復号化し、この通信識別情報に基づいて通信相手先を特定するようにしたから、何れかの端末に表示されているコードパターンを読み取るだけでその端末を通信相手先として特定してその端末との接続を確立することができる。したがって、通信相手先の通信識別情報を入力するという手間を省くことができると共に、入力ミスの危険もなく、更には、相手先毎にその通信識別情報を予め設定しておく必要もない。
【図面の簡単な説明】
【図１】端末間通信システムの全体構成を示したブロック図。
【図２】各通信端末１の基本的構成要素を示したブロック図。
【図３】各通信端末１でのＢｌｕｅｔｏｏｔｈ通信処理を示したフローチャート。
【図４】マスタ端末１、スレーブ端末１間において実行される図３の同期確立処理を詳述する為のフローチャート。
【図５】マスタ端末１側で実行される図３の通信接続処理を詳述する為のフローチャート。
【図６】各スレーブ端末１側で実行される図３の通信接続処理を詳述する為のフローチャート。
【図７】各スレーブ端末１において、自己の通信識別情報および付加情報から成るバーコード情報が表示されている状態を示した図。
【図８】（Ａ）は、２次元コードとして「ＰＤＦ４１７コード」に変換した場合の表示例を示した図、（Ｂ）は、２次元コードとして「ＱＲコード」に変換した場合の表示例を示した図。
【符号の説明】
１  通信端末、マスタ端末、スレーブ端末
１１  ＣＰＵ
１２  記憶装置
１４  Ｂｌｕｅｔｏｏｔｈ通信部
１５  バーコードスキャナ
１６  入力部
１７  表示部
１８  バーコード処理部
１９  端末管理ファイル
【図１】
2004274520.tif 000003
【図２】
2004274520.tif 000004
【図３】
2004274520.tif 000005
【図４】
2004274520.tif 000006
【図５】
2004274520.tif 000007
【図６】
2004274520.tif 000008
【図７】
2004274520.tif 000009
【図８】
2004274520.tif 000010